(57)【要約】【課題】  病院及び福祉・介護施設のナースコールシステムにおいて、壁取り付け子機とベッド側の握り押しボタン子機との間の通信が有線であると、ベッド移動の際に接続線を断線させてしまうことが頻発している。  また、無線であると、握り押しボタン子機の電池の交換や充電の作業が、ベッド数が多ければ多いほど煩わしい。【解決手段】  壁取り付け子機が定期的に電波を発信してポーリングをかけ、握り押しボタン子機は、その電波による電磁誘導作用の起電力で起動し、呼び出し押しボタンの情報を電波で壁取り付け子機へ返送する。【選択図】図１
2006095038.tif 000002
【特許請求の範囲】
【請求項１】
アンテナと送受信部とＣＰＵ制御部とメモリ部と入出力部と呼び出し押しボタンとからなる握り押しボタン子機と、アンテナと送受信部とＣＰＵ制御部と廊下灯接続部とからなる壁取り付け子機から構成され、前記壁取り付け子機側から電波を発信することに拠って、前記握り押しボタン子機側が電源または電池を持たずに電磁誘導による起電力によって起動し、前記呼び出し押しボタンの情報を前記壁取り付け子機側へ電波で送出することを特徴とするナースコール呼び出し子機。
【請求項２】
請求項１における前記壁取り付け子機が、定期的に電波をポーリング発信して、前記握り押しボタン子機の固有アドレスと呼び出し押しボタンの情報を読み取り、連続して複数回の前記呼び出し押しボタンが押されていることを検出した場合に、廊下灯を経由してナースセンタに設置されているナースコール親機側へ、呼び出しがあったことを知らせるナースコール呼び出し子機。
【請求項３】
請求項１及び請求項２における前記握り押しボタン子機のメモリ部には、固有のアドレスを設定しておき、前記壁取り付け子機からの定期的ポーリングの時に呼び出すアドレスと前記握り押しボタン子機の保有する固有のアドレスが一致した時のみ前記握り押しボタン子機は、応答して固有アドレスと呼び出し押しボタンの情報を前記壁取り付け子機に電波で送出することを特徴とするナースコール呼び出し子機。
【発明の詳細な説明】
【技術分野】
【０００１】
本発明は、病院及び福祉・介護施設のナースコールシステムにおいて、患者または被介護者が看護師または介護者などを呼び出す時に利用するナースコール呼び出し子機に関する。
【背景技術】
【０００２】
従来のナースコール呼び出し子機は、壁取り付け子機と握り押しボタン子機または通話機能が内蔵されているハンド型子機との接続が導線を利用した有線接続が一般的であった。この理由は、患者などのベッドサイド側からの呼び出しが確実に看護師などへ伝わらなければならず、有線であれば信頼性が高い為であることが挙げられる。  また、有線であれば壁取り付け子機から握り押しボタン子機へ電源が供給できることが挙げられる。  有線で構成したシステム事例として、特許文献１がある。    しかし、壁取り付け子機と握り押しボタン子機との間を無線で接続するシステムも提案されている（特許文献２を参照）が、握り押しボタン子機には電池などの電源が必要であった。
【特許文献１】特許第２８８７５５２号公報
【特許文献２】特許公開２００２−００９９５７
【発明の開示】
【発明が解決しようとする課題】
【０００３】
従来の有線接続によるナースコール呼び出し子機では、病院及び福祉・介護施設にて日常的に実施されるベッド移動の際、ベッドに巻き付けた握り押しボタン子機の接続線が強い張力で引っ張られて破損することが頻繁に発生している。  握り押しボタン子機は、いつでも呼び出しが出来るように患者の手元近くに置かれ、ベッドの頭部柵またはサイドの柵に接続線を巻き付けた形態で使用されることが多い。  接続線を巻きつけたままベッド移動して、接続線を断線させてしまう。
【０００４】
有線接続の欠点を解決する為に、赤外線や電波を利用した無線接続が提案されている。  無線接続にした場合は、壁取り付け子機から握り押しボタン子機へ電源を供給できない為、握り押しボタン子機には電池が必要となる。    電池の容量が無くなると、握り押しボタン子機が使用できなくなるため、電池の交換または再充電を行わなければならない。  この交換または充電の作業は、ベッド数が多くなればなる程大変な作業となり、施設管理部門の負担になっている。
【０００５】
また、電池利用の握り押しボタン子機は、電池容量が少なくなったことを検知し、人に知らせる機能が必要となり、コストアップの要因になっている。
【課題を解決するための手段】
【０００６】
上記の課題を解決する為に、本発明は、壁取り付け子機と握り押しボタン子機の間の通信を無線方式とし、かつ握り押しボタン子機は壁取り付け子機が発信する電波によってアンテナの電磁誘導による起電力で動作する方式とした。
【０００７】
壁取り付け子機（５）は、アンテナ（１）、送受信部（２）、ＣＰＵ制御部（３）及び廊下灯接続部（４）から構成され、握り押しボタン子機（１０）が電源または電池を持たない為、壁取り付け子機（５）から定期的に電波を発信して握り押しボタン子機（１０）を電磁誘導作用により起動する。
【０００８】
握り押しボタン子機（１０）は、アンテナ（１）、送受信部（２）、ＣＰＵ制御部（３）、メモリ部（７）、入出力部（８）及び呼び出し押しボタン（９）から構成され、ループ状のアンテナが電磁誘導作用により壁取り付け子機（５）が発信する電波で起電力を発生させ、その起電力のエネルギーで各部が動作し、壁取り付け子機（５）のポーリング呼び出しに応答して電波を発信し、自己保有の固有アドレス及び呼び出し押しボタンの情報を送出する。
【０００９】
壁取り付け子機（５）は、返送されてきた握り押しボタン子機（１０）のアドレスと呼び出し押しボタンの情報から呼び出しアドレスと返送されてきたアドレスが一致し、なおかつ呼び出し押しボタンが押されている状態が連続して複数回検出された時に廊下灯接続部（４）から廊下灯（６）へ呼び出しを通知する。  さらに廊下灯（６）からナースコール親機へ呼び出しが通知される。
【発明の効果】
【００１０】
本発明によれば、壁取り付け子機とベッドサイド側の握り押しボタン子機との間は無線で通信するので、ベッド移動の際に接続線を断線させてしまうこともなく、ベッド移動に自由度がある。
また、ベッド上で接続線が患者の体の下になったり、体に巻きついたりすることもない。
握り押しボタン子機が電磁誘導による起電力で動作するため、電池が不要であることは、電池の交換や電池の充電作業の煩わしさ、工数の省力化になるし、電池そのものの交換費用も不要になる。
【発明を実施するための最良の形態】
【００１１】
以下、発明の実施形態を図面に基づいて説明する。
図１は、病室（福祉施設では居室）内に設置される壁取り付け子機（５）とベッドに置かれる握り押しボタン子機（１０）及び病室の入り口の廊下側に設置される廊下灯（６）の構成図である。
【００１２】
壁取り付け子機（５）は、アンテナ（１）、送受信部（２）、ＣＰＵ制御部（３）及び廊下灯接続部（４）で構成される。  ＣＰＵ制御部（３）は、マイクロコンピュータとタイマーなどのコンピュータ周辺回路で構成され、タイマーによる一定周期で握り押しボタン子機（１０）をポーリング呼び出しする。  送受信部（２）は、ＣＰＵ制御部（３）からのポーリング呼び出しのデジタル信号を高周波信号に変調してアンテナ（１）から電波を放射する機能とアンテナ（１）からの高周波信号を復調し、握り押しボタン子機（１０）からの応答信号をデジタル信号としてＣＰＵ制御部（３）へ送る機能を持つ。    廊下灯接続部（４）は、ＣＰＵ制御部（３）からのナースコール呼び出し信号を廊下灯（６）に通知する機能をもつ。
【００１３】
握り押しボタン子機（１０）は、アンテナ（１）、送受信部（２）、ＣＰＵ制御部（３）、メモリ部（７）、入出力部（８）及び呼び出し押しボタン（９）から構成される。    ループ状のアンテナ（１）は、壁取り付け子機（５）が発信する電波を受け、電磁誘導作用により起電力を発生させ、また、送受信部（２）からの高周波信号を電波として空間に放射する機能をもつ。    
【００１４】
送受信部（２）は、アンテナ（１）からの高周波信号を受け、デジタル信号に復調してＣＰＵ制御部（３）へ送る機能と、ＣＰＵ制御部（３）からのデジタル信号を高周波信号に変調してアンテナ（１）から放射する機能を持つ。    ＣＰＵ制御部（３）は、マイクロコンピュータとその周辺回路から構成され、送受信部（２）で復調された壁取り付け子機（５）からのポーリング呼び出しを受け取り、自己の保有するアドレスと比較して一致していれば、自己のアドレスと呼び出し押しボタンの情報を送受信部（２）へ送り出す。
【００１５】
メモリ部（７）は、自己のアドレスなどの通信に必要な情報が記録されている。  握り押しボタン子機（１０）は、電池を持たない為、電源が切れてもメモリデータが消去しない焼き切りタイプや紫外線による書き込みタイプを選択する。    
呼び出し押しボタン（９）は、看護師と患者が通話しなくても呼び出しの内容がある程度分るように複数用意する。例えば、一般呼び出し、点滴終了呼び出し、トイレ介助呼び出し、容態悪化や緊急呼び出しなどの複数を用意する。  これにより、場合によっては通話機能を削除することも可能となる。
【００１６】
図２は、呼び出し押しボタンの状態とその時の壁取り付け子機のポーリング呼び出しと握り押しボタン子機の応答状態とナースコール呼び出しを検出する状態を横軸に時間をとって表示したものである。  
握り押しボタン子機には電池が無い為、呼び出し押しボタンの状態を保持できない。  壁取り付け子機は、ポーリングした時の呼び出し押しボタンの状態を読み込むことになる。  患者が呼び出しボタンを押している時間より充分に速い周期でポーリングする必要がある。  そのため、最小の呼び出し押し時間でも３回以上ポーリングできる様に設定する。  壁取り付け子機のＣＰＵ制御部（３）では、連続して複数回の呼び出し押しボタンが押されている状態（ＯＮの状態）があった時、
ナースコール呼び出しと判断して、廊下灯を経由してナースコール親機へ呼び出しがあったことを伝える。
【図面の簡単な説明】
【００１７】
【図１】壁取り付け子機と握り押しボタン子機の構成図
【図２】呼び出し押しボタンの状態、ポーリング呼び出しと応答状態、ナースコール呼び出しを検出する説明図
【符号の説明】
【００１８】
１．          
アンテナ
２．          
送受信部
３．          
ＣＰＵ制御部
４．          
廊下灯接続部
５．          
壁取り付け子機
６．          
廊下灯
７．          
メモリ部
８．          
入出力部
９．          
呼び出し押しボタン
１０．                 
握り押しボタン子機
【図１】
2006095038.tif 000003
【図２】
2006095038.tif 000004